(57)【要約】      （修正有）【課題】どの基地局が特定装置位置のサービスを行っているかを視覚化すること。【解決手段】複数の移動センサと複数のセンサ基準点との間の関係をマッピングするための方法であって、前記センサにおいて測定パラメータを得るステップを含み、前記測定パラメータは、測定されるパラメータおよび送信元のセンサ基準点の識別情報が含んでおり、各前記センサ毎に、前記センサを前記測定パラメータに対応する前記センサ基準点とつなぐ線として、前記測定パラメータを表示するステップとを含む。【選択図】図１
2007082195.tif 000002
【特許請求の範囲】
【請求項１】
複数の移動センサと複数のセンサ基準点との間の関係をマッピングするための方法であって、
前記センサにおいて測定パラメータを得るステップを含み、前記測定パラメータは、測定されるパラメータおよび送信元のセンサ基準点の識別情報が含んでおり、
各前記センサ毎に、前記センサを前記測定パラメータに対応する前記センサ基準点とつなぐ線として、前記測定パラメータを表示するステップとを含む、
方法。
【請求項２】
前記線の図的特徴が、前記測定パラメータの少なくとも１つの側面を反映している、請求項１に記載の方法。
【請求項３】
前記図的特徴が、実線、点線、標示付き線、破線、着色線、線幅のリストによる１つ以上の特徴から選択される、請求項２に記載の方法。
【請求項４】
前記線によって反映される前記測定パラメータが、データ・スループット、信号品質、信号損失、光強度のリストから選択される、請求項２に記載の方法。
【請求項５】
無線通信カバレージ・エリアをマッピングするための方法であって、
複数の無線装置からの伝送品質についての測定パラメータを得るステップを含み、前記伝送品質についての測定パラメータは、ある特定の物理的位置における無線装置に関連があり、前記測定パラメータは、その測定されるパラメータおよび前記測定されるパラメータが得られたときに前記無線装置と通信する送信機の識別を含み、
前記伝送品質が測定された物理的地域のマップ上に、前記得られた測定パラメータを一連の点として配置するステップを含み、各点は前記測定されたパラメータが得られた物理的な場所に位置しており、各点は前記パラメータが測定された送信機の識別を表示する、
方法。
【請求項６】
送信機識別情報の前記点表示が、前記点から前記識別される送信機まで引かれた線であることを特徴とする、請求項５に記載の方法。
【請求項７】
前記無線システムが、セルラ・システムであることと、前記送信点が基地局であることを特徴とする、請求項５に記載の方法。
【請求項８】
移動装置と通信するための複数の送信機と、
時折、前記装置と前記送信機との間において、関連する伝送品質パラメータを判定するための少なくとも１つの測定装置と、
前記品質パラメータが測定された点を表示するためのディスプレイと、を備え、前記点が、前記点に、前記測定パラメータの表示およびどの送信機が前記測定パラメータに関与したかのしるしを表示する、
無線ネットワークにおける伝送特性を表示するためのシステム。
【請求項９】
前記表示が、前記点と前記関与した送信機との間の線であることを特徴とする、請求項８に記載のシステム。
【請求項１０】
前記点が、前記ディスプレイにおける前記点の形状、前記点の記入領域、前記点の色、線幅のうちの１つ以上によって、前記パラメータを表示することを特徴とする、請求項９に記載のシステム。
【発明の詳細な説明】
【技術分野】
【０００１】
本発明は、無線システムに関するものであり、特に、無線装置と無線送信機との接続性の視覚化を改善するためのシステム及び方法に関するものである。
【背景技術】
【０００２】
セルラ・システムのような無線通信システムでは、多数の伝送サイト（セルラ・システムでは、これらは、基地局と呼ばれる）を利用して、ネットワークと無線装置との間で情報の配信（及び受信）が行われる。こうしたシステムは、一般に、セルに分割され、各セルは、基地局のまわりに形成される。診断を目的として、カバレージ・エリアを明らかにするため、カバレージ・マップが生成される。一般には、信号強度または信号品質推定値の測定結果であるカバレージ情報は、マップ上の測定実施地点に配置された、あるパターンをなす陰影カラー（または陰影点）として表示される。時間の経過につれて、一連の陰影カラーで埋めつくされて、カバーされるエリア、並びに、特定位置における信号強度が明らかになる。
【発明の開示】
【発明が解決しようとする課題】
【０００３】
こうした技法を用いると、ネットワーク管理者は、追加カバレージが必要になる場所に関する判定を行い、信号カバレージが不十分な（または、全くない）地域におけるカバレージを改善することが可能になる。しかしながら、既存の技法では、ネットワーク管理者は、どの基地局が特定装置位置のサービスを行っているかを視覚化することができない。例えば、ある特定地域が多数の赤丸（赤丸は不十分なカバレージを表わすものと仮定する）を示す場合、例示のマップ上の「赤」セクタをカバーするように設計された基地局からの送信を改善しなければならないものと推測される。「赤」セクタが、実際には、異なる基地局からその通信信号を受信している可能性もあるので、実際のところは、全くそうではない場合もあり得る。
【課題を解決するための手段】
【０００４】
無線カバレージ・マッピング技法は、測定される各送信の基地局の位置、並びに、例えば、測定される信号強度のような他の測定可能パラメータを表示するように構成される。実施形態の１つでは、結果得られるマップに、測定実施地点の着色された丸、及び、測定実施時における検出器の位置と通信状態にある送信機にその丸をつなぐ線が含まれている。所望の場合、線の色に、接続の基準を反映させることが可能であり、線のスタイルによって、測定または測定タイプに関する他の情報を伝えることが可能である。また、所望の場合には、移動局の移動方向を表示することも可能である。
【０００５】
このマップは、近隣リストを決定して、例えば、管理者が、観測によって、ある特定の接続に関する近隣リストとその送信に関して実際に選択された送信機を照合できるようにするために用いることが可能である。こうして、本明細書に開示のマッピング技法によって示されるように、実際の使用パターンを反映するように、近隣リストを更新することが可能になる。
【発明を実施するための最良の形態】
【０００６】
図１には、各被測定装置と、測定時にその装置と通信中の送信機１３のような送信機との関係を示す無線システムの実施形態の１つ１０が例示されている。無線通信システムが示されているが、論考される概念は、光が通信のために用いられるか、または、ただ単に可視性のために用いられるかにかかわらず、光伝送に用いることも可能である。
【０００７】
動作時、図２示すように、装置２１のような移動装置は、センサ（移動装置）基準点である送信機１４と通信する。セルラ・システムの場合、送信機は基地局の一部になる。送信中、送信機に接続されたプロセッサ２２は、時折、信号品質、または、データ・スループット、信号品質、信号損失、光強度といった他のパラメータをデータ・ベース２３に記録することになる。データ・ベース２３には、測定実施場所、パラメータ測定時の送信機識別情報、及び、所望の場合には、移動装置の移動方向も記憶される。これらの測定は、図１に示す送信機１１〜１４のような複数の送信機に対する複数の移動装置に関して実施される。
【０００８】
各送信機毎に、それ自体のデータ・ベースを備えることもできるし、あるいは、複数送信機が共通データベースを共有することも可能である。また、携帯電話のような複数の異なる移動装置の利用がもくろまれているが、本明細書において論考されるシステム及び方法は、複数の送信機間を移動する単一移動装置にも利用可能である。また、パラメータの測定は、上述のように、送信機によって実施することもできるし、あるいは、移動装置によって実施することも可能であるが、こうした場合、プロセッサ及びデータベースが移動装置内に設けられている。ある時点において、移動装置に記憶されたデータは、データベース２３または同等物に対して伝えられることになる。
【０００９】
図１に戻って、パラメータの測定結果が、送信機１１、１２、１３、及び、１４に関連して収集されたものと仮定する。さらに、測定結果が、それぞれ、送信機の存在する地域のマップ上にプロットされるものと仮定する。表示のため、これらの点は、形状（丸、正方形、三角形等）として示すことが可能である。従って、送信機１１については、全て、陸塊１０２における送信機の西北に位置する点１１−１〜１１−６が示されている。また、点１１−７〜１１−１１は、陸塊１０１上の送信機１１に対するパラメータ測定の実施点を示している。さらに、送信機１１に関連した水域１０３内に、点１１−１２が示されている。
【００１０】
送信機１２については、関連する点１２−１〜１２−３が示されている。送信機１３は、陸塊１０２上の北東に点１３−１〜１３−３及び西に点１３−４及び１３−５、水域１０３内に点１３−６〜１３−１３を有している。送信機１４は、全て、陸塊１０１上に関連する点１４−１〜１４−７を有している。図示のように、これらの点は、それぞれ、パラメータの実施地点と、測定時に装置と通信状態にある送信機をつなぐ、線のような表示を備えている。丸（または他の形状）の記入を利用して、測定パラメータの大きさ（または他の値）を表示することが可能である。実際に行う場合、丸の名称（番号）は存在しないという点に留意されたい。また、線のタイプ（上述の線、破線、点線、幅）、及び／または、色（色相、色調、及び、明るさ等）を利用して、１つ以上のパラメータに関する情報を伝達することが可能であるという点にも留意されたい。また、線は、各端点に実際に「接する」必要はなく、例えば、矢印または部分線とすることが可能であるという点にも留意されたい。
【００１１】
イラスト１０を観察することによって容易に明らかになるように、点１１−１〜１１−１１は、送信機１２と物理的に近いが、実際には、水域１０３を越えて送信機１１と通信を行っている。また、点１３−６〜１３−１３の装置は、水域１０３を横切るボート（または橋）の上にあって、送信機１３と通信を行っていると思われる（送信機１１と通信する点１１−１２を除いて）という点にも留意されたい。これは、送信機１１及び１２が、物理的にそれらの点に最も近いように思えても、行われる。図示のように、各点は、例えば、信号強度を表わしているだけではなく、送信機との関係、及び、所望の場合には、方向も表わしている。従って、ただ単に観察するだけで、送信パターン及びハンドオフ送信機をはっきりと確認することが可能になる。これは、近隣（またはハンドオフ）送信機の解明に役立つ。というのも、紙上では、特定の送信機が、ハンドオフのための論理的選択のように思えても、真のハンドオフは、もっと遠くに位置する送信機に生じる可能性もあるからである。
【００１２】
測定パラメータの１つは、信号強度であり、論考のように、もう１つのパラメータは、移動方向である。他のパラメータは、例えば、無線ＬＡＮ、チャネルＩｄ、パケット損失とすることが可能である。もう１つのパラメータは、ある点から物体までの光の強度とすることが可能である。これは、例えば、港湾内を移動中のボートの可視性を決定するのに役立つ可能性がある。さらなる他のパラメータを利用して、ある固定点に関連した移動センサを備える任意のものを追跡することも可能である。一例としては、発射点からのミサイル、または、音源からのサウンドを測定するためのオーディオ・メータがある。ディスプレイに描かれる線が、各送信機については灯台に似始めるが、このタイプの「灯台」のイラストを利用して、セルラ、ＬＡＮ、８０２．１１、Ｗｉ−Ｆｉ、及び、８０２．１６ＷｉＭＡＸ無線ＬＡＮシステムといった、多種多様な無線システムにおけるカバレージ関係を表示することが可能である。このシステムは、カバレージ・エリアを示す送信機からのＴＶ信号に利用することが可能である。
【００１３】
図２には、図１のイラストを作成するためのシステムの実施形態の１つ２０が示されている。この実施形態では、携帯電話２１と通信中の送信機１４が示されている。信号強度は、例えば、携帯電話２１のプロセッサ（不図示）によって計算され、ＧＰＳまたは他の方法によって得られる位置と共に、プロセッサ２２を介してデータベース２３に伝達される。信号強度（または他の測定パラメータ）の読みは、携帯電話２１に保持しておき、単一送信機と関連づけることが可能な、または、独立型とすることが可能なデータベース２３に時折ダウンロードすることが可能であるという点に留意されたい。図２に関連して論考の実施形態の場合、携帯電話２１は、１４−１〜１４−７で表示された丸の１つ（図１）になるという点に留意されたい。
【００１４】
平面（２次元）内で移動するセンサに焦点を絞って論考してきたが、本明細書で論考の概念は、３次元センサに利用することが可能であり、例えば、ホログラフィック・ディスプレイを用いて、３Ｄ方式で表示されることになる。
【００１５】
本発明及びその利点について詳細に解説してきたが、もちろん、付属の請求項によって定義される本発明の精神及び範囲から逸脱することなく、さまざまな変更、置換、及び、改変を施すことが可能である。さらに、本出願の範囲は、本明細書に解説のプロセス、機械、製造、組成物、手段、方法、及び、ステップの特定の実施形態に制限されることを意図したものではない。通常の当該技術者であれば、本発明の開示から容易に明らかになるように、本明細書に解説の対応する実施形態とほぼ同じ機能を果たすか、または、ほぼ同じ結果を実現する、現存するか、または、今後開発されるプロセス、機械、製造、組成物、手段、方法、または、ステップを、本発明に従って利用することが可能である。従って、付属の請求項は、こうしたプロセス、機械、製造、組成物、手段、方法、または、ステップをその範囲内に含むことを意図したものである。
【図面の簡単な説明】
【００１６】
【図１】各被測定装置と、測定時にその装置と通信状態にある送信機との関係を示す無線システムの実施形態を説明する図である。
【図２】図１のイラストを作成するシステムの実施形態の１つを示す図である。
【符号の説明】
【００１７】
１１  送信機
１１−１〜１１−１１  パラメータの測定点
１２  送信機
１２−１〜１２−３  パラメータの測定点
１３  送信機
１３−１〜１３−１３  パラメータの測定点
１４  送信機
１４−１〜１４−７  パラメータの測定点
【図１】
2007082195.tif 000003
【図２】
2007082195.tif 000004